(57)【要約】【課題】ロボットの無励磁作動型電磁ブレーキにおけるノイズの発生を抑制しつつ、発熱抑制・省エネを実現する。【解決手段】無励磁作動型電磁ブレーキ1を備えたサーボモータにより駆動される駆動軸を有するロボットの制御装置2であって、無励磁作動型電磁ブレーキ1のブレーキ解除状態において、無励磁作動型電磁ブレーキ1の励磁コイルへの通電ＯＮと通電ＯＦＦとを交互に繰り返し、その際、複数の励磁コイルの間で少なくとも通電ＯＮのタイミングがずれるように構成されている。【選択図】図１
2018083268.tif 000002
【特許請求の範囲】
【請求項１】
無励磁作動型電磁ブレーキを備えたサーボモータにより駆動される駆動軸を有するロボットの制御装置であって、
前記無励磁作動型電磁ブレーキのブレーキ解除状態において、前記無励磁作動型電磁ブレーキの励磁コイルへの通電ＯＮと通電ＯＦＦとを交互に繰り返し、その際、複数の前記励磁コイルの間で少なくとも前記通電ＯＮのタイミングがずれるように構成されている、ロボット制御装置。
【請求項２】
前記通電ＯＮのタイミングおよび前記通電ＯＦＦのタイミングの両方が、複数の前記励磁コイルの間でずれるように構成されている、請求項１記載のロボット制御装置。
【請求項３】
前記通電ＯＮおよび前記通電ＯＦＦのＯＮ／ＯＦＦ比率を変調させるように構成されている、請求項１または２に記載のロボット制御装置。
【請求項４】
前記ＯＮ／ＯＦＦ比率の変調をランダムに行うように構成されている、請求項３記載のロボット制御装置。
【請求項５】
前記通電ＯＮおよび前記通電ＯＦＦのスイッチング周波数を変調させるように構成されている、請求項１乃至４のいずれか一項に記載のロボット制御装置。
【請求項６】
前記スイッチング周波数の変調をランダムに行うように構成されている、請求項５記載のロボット制御装置。
【請求項７】
請求項１乃至６のいずれか一項に記載のロボット制御装置と、
前記ロボット制御装置によって制御される駆動軸と、を備えたロボット。
【発明の詳細な説明】
【技術分野】
【０００１】
本発明は、無励磁作動型電磁ブレーキ付きのサーボモータを備えたロボットを制御するためのロボット制御装置および同制御装置を備えたロボットに関する。
【背景技術】
【０００２】
ロボット、特に産業用ロボットのアームの駆動軸などに使用されるサーボモータは、停止時の位置の保持の確実性などに加え、動作中の電源喪失などの際の暴走等を防止するために、一般に、無励磁作動型電磁ブレーキ（以下、単に「ブレーキ」と呼ぶことがある。）が備えられている。
【０００３】
無励磁作動型電磁ブレーキは、励磁コイル、バネ、アーマチュアおよび摩擦板をこの順に一列に配設し、励磁コイルの無通電時に、バネによる付勢力によりアーマチュアを摩擦板に押し付けてブレーキ動作を行い、励磁コイルの通電時に、バネによる付勢力に抗してアーマチュアを吸引して摩擦板から引き離すことによりブレーキ作動状態を解除するものである。
【０００４】
ところで、無励磁作動型電磁ブレーキにおいては、ブレーキ作動状態にて励磁コイルへの通電を開始し、アーマチュアを摩擦板から引き離してブレーキ解除位置とした後は、必ずしも励磁コイルへの通電状態を常時維持する必要はないことが分かっている。
【０００５】
すなわち、励磁コイルへの通電を開始してアーマチュアを摩擦板から引き離してブレーキ解除位置とした後は、短時間であれば励磁コイルへの通電を停止しても、ブレーキ解除状態を維持することができる。なお、ブレーキ解除状態を維持できる通電停止可能時間は、該ブレーキの仕様によって異なる。
【０００６】
無励磁作動型電磁ブレーキの上記特性を利用して、特許文献１では、ブレーキ解除状態における励磁コイルへの通電による発熱を抑制すべく、ブレーキ解除状態における励磁コイルへの電力供給をＯＮ−ＯＦＦ制御する技術が提案されている。
【先行技術文献】
【特許文献】
【０００７】
【特許文献１】特開２０１３−６７００９号公報
【発明の概要】
【発明が解決しようとする課題】
【０００８】
ところで、励磁コイルに通電を開始するとき（通電ＯＮ）および励磁コイルへの通電を遮断するとき（通電ＯＦＦ）にノイズが発生するので、このノイズによる周辺機器への影響を極力低減する必要がある。ちなみに通常は、通電ＯＦＦのときよりも通電ＯＮのときに、より大きなノイズが発生する。
【０００９】
このノイズの問題に関して、特許文献１の技術では、ブレーキ解除状態における励磁コイルへの通電ＯＮおよび通電ＯＦＦが、すべての駆動軸のブレーキにおいて同時に行われるため、すべてのブレーキにおいてノイズが同時に発生し、周辺機器への悪影響が大きくなってしまう。
【００１０】
すなわち、特許文献１の技術では、ブレーキ解除状態における励磁コイルへの通電のＯＮ／ＯＦＦ制御を行うことにより発熱抑制・省エネの効果が期待できるものの、ＯＮ／ＯＦＦ制御時に発生するノイズによる周辺機器への悪影響という新たな問題が生じる。
【００１１】
本発明は、上述した従来技術の問題点に鑑みてなされたものであって、ロボットの無励磁作動型電磁ブレーキにおけるノイズの発生を抑制しつつ、発熱抑制・省エネを実現することができるロボット制御装置および同制御装置を備えたロボットを提供することを目的とする。
【課題を解決するための手段】
【００１２】
前記課題を解決するために、本発明の第１の態様は、無励磁作動型電磁ブレーキを備えたサーボモータにより駆動される駆動軸を有するロボットの制御装置であって、前記無励磁作動型電磁ブレーキのブレーキ解除状態において、前記無励磁作動型電磁ブレーキの励磁コイルへの通電ＯＮと通電ＯＦＦとを交互に繰り返し、その際、複数の前記励磁コイルの間で少なくとも前記通電ＯＮのタイミングがずれるように構成されている、ことを特徴とする。
【００１３】
本発明の第２の態様は、第１の態様において、前記通電ＯＮのタイミングおよび前記通電ＯＦＦのタイミングの両方が、複数の前記励磁コイルの間でずれるように構成されている、ことを特徴とする。
【００１４】
本発明の第３の態様は、第１または第２の態様において、前記通電ＯＮおよび前記通電ＯＦＦのＯＮ／ＯＦＦ比率を変調させるように構成されている、ことを特徴とする。
【００１５】
本発明の第４の態様は、第３の態様において、前記ＯＮ／ＯＦＦ比率の変調をランダムに行うように構成されている、ことを特徴とする。
【００１６】
本発明の第５の態様は、第１乃至第４のいずれかの態様において、前記通電ＯＮおよび前記通電ＯＦＦのスイッチング周波数を変調させるように構成されている、ことを特徴とする。
【００１７】
本発明の第６の態様は、第５の態様において、前記スイッチング周波数の変調をランダムに行うように構成されている、ことを特徴とする。
【００１８】
本発明の第７の態様は、第１乃至第６のいずれかの態様におけるロボット制御装置と、前記ロボット制御装置によって制御される駆動軸と、を備えたロボットである。
【発明の効果】
【００１９】
本発明によれば、ロボットの無励磁作動型電磁ブレーキにおけるノイズの発生を抑制しつつ、発熱抑制・省エネを実現することができるロボット制御装置および同制御装置を備えたロボットを提供することができる。
【図面の簡単な説明】
【００２０】
【図１】本発明の一実施形態によるロボット制御装置を備えたロボットにおけるブレーキシステムを模式的に示した図。
【図２】図１に示したブレーキシステムにおいて励磁コイルに印加される電圧信号を説明するための図。
【図３】図１に示したブレーキシステムにおいて励磁コイルに印加される電圧信号の一例を示した図。
【図４】図１に示したブレーキシステムにおいて励磁コイルに印加される電圧信号の他の例を示した図。
【発明を実施するための形態】
【００２１】
以下、本発明の一実施形態によるロボット制御装置および同制御装置を備えたロボットについて、図面を参照しつつ説明する。
【００２２】
図１に示したように本実施形態によるロボットにおけるブレーキシステムは、サーボモータに組み込まれた無励磁作動型電磁ブレーキ１を備えている。このブレーキシステムでは、所定の電圧（本例では２４Ｖ）が供給されているスイッチング素子に、ロボット制御装置２からタイミング制御信号を供給して切り替え操作することにより、ブレーキ１の励磁コイルへの通電ＯＮ状態と通電ＯＦＦ状態とを切り替えるように構成されている。
【００２３】
なお、本実施形態においては、モータの特性（吸引時間、釈放時間等）に合わせて、図１に示した吸引時間ｔｓ（ｍｓ）、吸引後の電圧印加ＤＵＴＹ（％）、周波数を任意に設定することができる。
【００２４】
本実施形態における無励磁作動型電磁ブレーキ１は、従来の技術の欄で説明したものと同様に、励磁コイル、バネ、アーマチュアおよび摩擦板をこの順に一列に配設し、励磁コイルの無通電時に、バネによる付勢力によりアーマチュアを摩擦板に押し付けてブレーキ動作を行い、励磁コイルの通電時に、バネによる付勢力に抗してアーマチュアを励磁ブレーキ側に吸引して摩擦板から引き離すことによりブレーキ動作を解除するものである。なお、無励磁作動型電磁ブレーキ１は、ロボットの複数の駆動軸のそれぞれに設けられている。
【００２５】
ブレーキ作動状態にある無励磁作動型電磁ブレーキ１をブレーキ解除状態に切り替える際には、ロボット制御装置２からのタイミング制御信号によってスイッチング素子を導通状態として、図２に示したように所定の電圧（本例では２４Ｖ）をブレーキ１の励磁コイルに印加してアーマチュアを吸引して摩擦板から引き離し、ブレーキ作動状態を解除する。
【００２６】
既に述べたように、無励磁作動型電磁ブレーキ１においては、アーマチュアを摩擦板から引き離してブレーキ解除位置とした後は、必ずしも励磁コイルへの通電状態を常時維持する必要はない。
【００２７】
そこで、本実施形態においては、ブレーキ解除状態における励磁コイルへの通電によるエネルギー消費および発熱を抑制すべく、いったんブレーキ解除状態が達成されたら、図２に示したように励磁コイルへの通電をＯＮ−ＯＦＦ制御する。このようにブレーキ解除状態において励磁コイルへの通電ＯＮと通電ＯＦＦとを交互に繰り返すことにより、常時通電ＯＮとする場合に比べてエネルギー消費が抑制され、省エネ効果が得られると共に、ロボットアーム内部の温度上昇を抑制できる。
【００２８】
例えば、ＤＵＴＹ（ＯＮ／ＯＦＦ比率）５０％の場合は１２Ｖ印加となり、電流を０．３３Ａとすると、１２Ｖ×０．３３Ａ×０．５＝１．９８（ｗ）となり、２４Ｖを常時印加した場合（２４Ｖ×０．３３Ａ＝７．９２Ｗ）に比べて、大きな省エネ効果が得られる。
【００２９】
さらに、本実施形態においては、励磁コイルへの通電のＯＮ／ＯＦＦ制御により発生するノイズに起因する周辺機器への悪影響を抑制すべく、以下に述べる対策を講じている。
【００３０】
すなわち、本実施形態においては、無励磁作動型電磁ブレーキ１のブレーキ解除状態において、ブレーキ１の励磁コイルへの通電ＯＮと通電ＯＦＦとを交互に繰り返す際に、複数の駆動軸に設けられた複数の励磁コイルの間で、通電ＯＮのタイミングおよび通電ＯＦＦのタイミングがずれるように構成されている。好ましくは、通電ＯＮのタイミングおよび通電ＯＦＦのタイミングが、すべてのタイミングにおいて複数の励磁コイル間でずれるようにする。
【００３１】
図３は、図１に示したブレーキシステムにおいて、ブレーキ解除状態にて励磁コイルに印加される電圧信号の一例を示した図である。本例においては、図３に示したように、ロボットの３つの駆動軸（Ｊｔ１、Ｊｔ２、Ｊｔ３）の３つの励磁コイルの間で、通電ＯＮおよび通電ＯＦＦのタイミングがすべてずれている。
【００３２】
本実施形態においては、上記の構成を備えることにより、ブレーキ解除状態における複数の励磁コイルへの通電ＯＮおよび通電ＯＦＦのタイミングが励磁コイルごとに異なるので、ＯＮ／ＯＦＦ操作時におけるノイズの発生タイミングが励磁コイルごとに異なり、ノイズの同時発生を回避して周辺機器へのノイズによる悪影響を抑制することができる。
【００３３】
さらに、図３に示した例においては、周期を一定として、通電ＯＮおよび通電ＯＦＦのＯＮ／ＯＦＦ比率（ＤＵＴＹ）をランダムに変調させている。これにより、高調波ノイズのスペクトル拡散効果が増大することが期待できる。
【００３４】
ブレーキ解除状態にて励磁コイルに印加される電圧信号の他の例としては、図４に示したように、通電ＯＮおよび通電ＯＦＦのスイッチング周波数をランダムに変調させるようにしても良い。
【００３５】
本例においても、ブレーキ解除状態における複数の励磁コイルへの通電ＯＮおよび通電ＯＦＦのタイミングが励磁コイルごとに異なるので、ＯＮ／ＯＦＦ操作時におけるノイズの発生タイミングが励磁コイルごとに異なり、ノイズの同時発生を回避して周辺機器へのノイズによる悪影響を抑制することができる。
【００３６】
なお、図４に示した例では、ＯＮ／ＯＦＦ比率を固定しているが、変形例としては、通電ＯＮおよび通電ＯＦＦのスイッチング周波数をランダムに変調させ、併せて、ＯＮ／ＯＦＦ比率もランダムに変調させるようにしても良い。これにより、高調波ノイズのスペクトル拡散効果が増大することが期待できる。
【００３７】
以上述べたように、上記実施形態によるロボット制御装置および同制御装置を備えたロボットによれば、ブレーキ解除状態における励磁コイルでのエネルギー消費・発熱を抑制すると共に、ＯＮ／ＯＦＦ操作に伴って発生するノイズによる周辺機器への悪影響を抑制することができる。
【符号の説明】
【００３８】
１  ブレーキ
２  ロボット制御装置
【図１】
2018083268.tif 000003
【図２】
2018083268.tif 000004
【図３】
2018083268.tif 000005
【図４】
2018083268.tif 000006